(57)【要約】【課題】送出中の系統の映像信号に異常が発生した際に、手動操作を介することなく正常な系統の映像信号へ瞬時に切り替えることが可能な映像信号切替装置を提供する。【解決手段】現用系及び予備系の映像サーバ１１，１２に対する映像信号の記録に先立ち、映像信号に伝送誤りを測定するためのビデオパリティデータを付加して各系の映像サーバ１１，１２に記録するようにし、映像信号再生時に、各系の映像サーバ１１，１２から再生される映像信号中のビデオパリティデータをビデオパリティ確認装置１４，１５で確認し、映像切替器１６でビデオパリティ確認装置１４，１５からの確認結果から映像信号の異常を判定し、異常が判定された系の映像信号を正常な系の映像信号に切り替えるようにしている。【選択図】      図１
2007053429.tif 000002
【特許請求の範囲】
【請求項１】
現用系と予備系で互いに映像信号をサーバに記録し、各系のサーバに記録された映像信号を再生して選択的に切り替えて送出する映像信号切替装置であって、
前記映像信号に対し伝送誤りを測定するためのパリティデータを付加して前記現用系及び前記予備系それぞれのサーバに供給するパリティデータ付加手段と、
前記現用系及び前記予備系それぞれのサーバの再生出力に付加されたパリティデータを抽出し、このパリティデータの内容を識別するパリティ識別手段と、
このパリティ識別手段の識別結果に基づいて、前記現用系から前記予備系への切り替え、または前記予備系から前記現用系への切り替えを行う切替手段とを具備したことを特徴とする映像信号切替装置。
【請求項２】
前記パリティ識別手段は、各系のサーバから再生出力される映像信号が少なくとも１枚のフレーム内符号化画面とこの画面を基に作成した予測画面を有する構造をとるとき、各系のサーバの再生出力から前記フレーム内符号化画面を抽出する特徴量抽出手法を用いて前記パリティデータを抽出することを特徴とする請求項１記載の映像信号切替装置。
【請求項３】
前記パリティデータ付加手段は、映像信号の補助データ挿入領域となるVertical Ancillary Dataを使用して、前記パリティデータを前記映像信号に付加することを特徴とする請求項１記載の映像信号切替装置。
【発明の詳細な説明】
【技術分野】
【０００１】
この発明は、ビデオサーバから再生した現用系及び予備系の映像信号を品質劣化具合に応じて選択的に切り替えて送出する映像信号切替装置に関する。
【背景技術】
【０００２】
周知のように、放送局内にあっては、例えばテレビジョン放送やラジオ放送の番組、ＣＭ（コマーシャル）、文字やデータによる番組等の映像信号を記憶し、任意のタイミングで映像信号を再生するビデオサーバが使用されている。
【０００３】
また、放送局内では、ビデオサーバの故障対策及び保守のために、現用・予備の二重化構成としている。そして、現用系のビデオサーバから再生された映像信号の品質が何らかの原因により劣化して、放送に使用できない状態になった場合には、運用者が予備系への切り替えを行なうようにしている。
【０００４】
この場合、専用のモニタ装置を用いて、運用者が現用系のビデオサーバから再生された映像信号を目視により確認することにより予備系のビデオサーバから再生された映像信号に切り替えるようにしている。このため、見落としが発生しやすく、かつ異常発見から切替完了まで時間がかかるという問題があった。
【０００５】
そこで、従来では、現用系のビデオサーバから再生された映像信号と予備系のビデオサーバから再生された映像信号とを比較し、差異がある場合に映像信号の異常と判定して運用者に異常の旨を知らせる映像異常検出装置が提案されている（例えば、特許文献１）。
【特許文献１】特開２００５−７９６３１号公報。
【発明の開示】
【発明が解決しようとする課題】
【０００６】
しかしながら、上記映像異常検出装置を使用する手法では、運用者がいない場合には現用系のビデオサーバから再生された映像信号に異常があっても予備系の映像信号に切り替えることができない。
【０００７】
そこで、この発明の目的は、送出中の系統の映像信号に異常が発生した際に、手動操作を介することなく正常な系統の映像信号へ瞬時に切り替えることが可能な映像信号切替装置を提供することにある。
【課題を解決するための手段】
【０００８】
この発明は、上記目的を達成するために、以下のように構成される。  
現用系と予備系で互いに映像信号をサーバに記録し、各系のサーバに記録された映像信号を再生して選択的に切り替えて送出する映像信号切替装置であって、映像信号に対し伝送誤りを測定するためのパリティデータを付加して現用系及び予備系それぞれのサーバに供給するパリティデータ付加手段と、現用系及び予備系それぞれのサーバの再生出力に付加されたパリティデータを抽出し、このパリティデータの内容を識別するパリティ識別手段と、このパリティ識別手段の識別結果に基づいて、現用系から予備系への切り替え、または予備系から現用系への切り替えを行う切替手段とを備えるようにしたものである。
【０００９】
この構成によれば、現用系及び予備系のサーバに対する映像信号の記録に先立ち、映像信号に伝送誤りを測定するためのパリティデータを付加して各系のサーバに記録するようにし、映像信号再生時に、各系のサーバから再生される映像信号中のパリティデータをチェックすることにより映像信号の異常を判定し、異常が判定された系の映像信号を正常な系の映像信号に切り替えるようにしている。
【００１０】
従って、映像信号の異常検出時に、手動操作を介することなく正常な系の映像信号へ瞬時に切り替えることができる。
【００１１】
パリティ識別手段は、各系のサーバから再生出力される映像信号が少なくとも１枚のフレーム内符号化画面とこの画面を基に作成した予測画面を有する構造をとるとき、各系のサーバの再生出力から前記フレーム内符号化画面を抽出する特徴量抽出手法を用いて前記パリティデータを抽出することを特徴とする。
【００１２】
この構成によれば、各系のサーバから再生出力される映像信号が少なくとも１枚のフレーム内符号化画面とこの画面を基に作成した予測画面を有する構造をとる場合であっても、フレーム内符号化画面を抽出する特徴量抽出手法を用いるようにすれば、確実にパリティデータを抽出することができ、これにより如何なるタイプの映像信号も取り扱うことができる。
【００１３】
パリティデータ付加手段は、映像信号の補助データ挿入領域となるVertical Ancillary Dataを使用して、前記パリティデータを前記映像信号に付加することを特徴とする。
【００１４】
この構成によれば、映像信号の補助データ挿入領域となるVertical Ancillary Dataを使用して、パリティデータを映像信号に付加するようにしているので、特別のデータ記録装置を必要とすることなくパリティデータを記録できる。
【発明の効果】
【００１５】
以上のようにこの発明によれば、送出中の系統の映像信号に異常が発生した際に、手動操作を介することなく正常な系統の映像信号へ瞬時に切り替えることが可能な映像信号切替装置を提供することができる。
【発明を実施するための最良の形態】
【００１６】
以下、この発明の実施形態について図面を参照して詳細に説明する。  
図１は、この発明の一実施形態に係わる映像信号切替装置の構成を示すブロック図である。図１において、現用系の映像サーバ１１、予備系の映像サーバ１２には、それぞれビデオパリティ付加装置１３によりビデオパリティデータが付加された映像信号が供給される。
【００１７】
映像サーバ１１は、供給された映像信号を図示しないメモリに記録し、別途提供される再生指示に応じてメモリに記録された映像信号を再生出力する。また、映像サーバ１２も、映像サーバ１１と同様に、供給された映像信号を図示しないメモリに記録し、別途提供される再生指示に応じてメモリに記録された映像信号を再生出力する。
【００１８】
映像サーバ１１から再生された映像信号は、ビデオパリティ確認装置１４によりそのビデオパリティがチェックされ、しかる後に映像切替器１６に供給される。また、映像サーバ１２から再生された映像信号は、ビデオパリティ確認装置１５によりそのビデオパリティがチェックされ、しかる後に映像切替器１６に供給される。
【００１９】
映像切替器１６は、ビデオパリティ確認装置１４，１５それぞれによるビデオパリティ確認結果から各系の映像信号が異常であるか否かを判定し、この判定結果に基づいて正常な系への切り替えを行う。
【００２０】
上記構成において、以下にその処理動作を説明する。  
まず、ビデオパリティ付加装置１３では、図２に示すように、ＳＭＰＴＥ３３４Ｍに従って、映像フレームの第１フィールドの直前の垂直ブランキング領域となるVertical Ancillary Data及び第２フィールドの直前のVertical Ancillary Dataにビデオパリティデータを重畳して、各系の映像サーバ１１，１２に記録するようにしている。
【００２１】
そして、各系のビデオパリティ確認装置１４，１５では、映像サーバ１１，１２から再生された映像信号中のビデオパリティデータを抽出し、このビデオパリティデータの内容を確認し、この確認結果を映像切替器１６に通知する。
【００２２】
各系のビデオパリティ確認装置１４，１５に供給される映像信号は、図３に示すように、フレーム内符号化によるＩ（Intra）ピクチャ、このＩピクチャに基づくフレーム間順方向予測符号化によるＰ（Predictive）ピクチャ、Ｐピクチャに基づく双方向予測符号化によるＢ（Bidirectionally Predictive）ピクチャの３タイプのピクチャを有するＧＯＰ（Group Of Picture）構造をとる場合がある。そこで、各系のビデオパリティ確認装置１４，１５では、映像信号からＩピクチャを抽出する特徴量抽出手法を用いることにより、ビデオパリティデータを抽出するようにしている。
【００２３】
映像切替器１６は、映像信号及びビデオパリティ確認結果が供給されると、図４に示す制御処理を実行する。
【００２４】
映像切替器１６は、現用系の映像信号を送出中の場合に、ビデオパリティ確認装置１４からのビデオパリティ確認結果が正しいか否かの判定を行なう（ステップＳＴ４ａ）。そして、ビデオパリティ確認結果が正しい場合には（ＯＫ）、映像切替器１６はビデオパリティ確認装置１４からの映像信号を送出するが、ビデオパリティ確認結果が異常の場合には（ＮＧ）、ビデオパリティ確認装置１５からのビデオパリティ確認結果が正しいか否かの判定を行なう（ステップＳＴ４ｂ）。
【００２５】
そして、ビデオパリティ確認結果が正しい場合には（ＯＫ）、映像切替器１６はビデオパリティ確認装置１４からの映像信号からビデオパリティ確認装置１５からの映像信号への切り替えを行う（ステップＳＴ４ｃ）。
【００２６】
一方、ビデオパリティ確認結果が異常の場合には（ＮＧ）、映像切替器１６は両系の映像信号が異常である旨を外部に報知する（ステップＳＴ４ｄ）。この報知方法としては、アラームによる報知や端末の表示器への異常表示等がある。
【００２７】
なお、上記処理手順は、予備系から現用系への切り替えにも適用可能である。
【００２８】
以上のように上記実施形態では、現用系及び予備系の映像サーバ１１，１２に対する映像信号の記録に先立ち、映像信号に伝送誤りを測定するためのビデオパリティデータを付加して各系の映像サーバ１１，１２に記録するようにし、映像信号再生時に、各系の映像サーバ１１，１２から再生される映像信号中のビデオパリティデータをビデオパリティ確認装置１４，１５で確認し、映像切替器１６でビデオパリティ確認装置１４，１５からの確認結果から映像信号の異常を判定し、異常が判定された系の映像信号を正常な系の映像信号に切り替えるようにしている。
【００２９】
従って、映像信号の異常検出時に、運用者による手動操作を介することなく正常な系の映像信号へ瞬時に切り替えることができ、再生映像の途切れ（放送事故）を防止することができる。
【００３０】
また、上記実施形態では、ビデオパリティ確認装置１４，１５において、各系の映像サーバ１１，１２から再生出力される映像信号がＧＯＰ構造をとる場合であっても、そのＩピクチャを抽出する特徴量抽出手法を用いるようにしているので、確実にパリティデータを抽出することができ、これにより如何なるタイプの映像信号も取り扱うことができる。
【００３１】
さらに、上記実施形態では、ビデオパリティ付加装置１３において、映像信号の補助データ挿入領域となるVertical Ancillary Dataを使用して、ビデオパリティデータを映像信号に付加するようにしているので、特別のデータ記録装置を必要とすることなくビデオパリティデータを映像サーバ１１，１２に記録できる。
【００３２】
なお、映像信号切替装置の構成、映像信号に対するビデオパリティデータの挿入方法、ビデオパリティデータの抽出方法やチェック方法等についても、この発明の要旨を逸脱しない範囲で種々変形して実施できる。
【図面の簡単な説明】
【００３３】
【図１】この発明の一実施形態に係わる映像信号切替装置の構成を示すブロック図。
【図２】同実施形態において、ビデオパリティデータを挿入する映像信号のフレーム構造を示す図。
【図３】同実施形態における映像信号のＧＯＰ構造を示す図。
【図４】同実施形態における映像切替器の制御処理手順を示すフローチャート。
【符号の説明】
【００３４】
１１，１２…映像サーバ、１３…ビデオパリティ付加装置、１４，１５…ビデオパリティ確認装置、１６…映像切替器。
【図１】
2007053429.tif 000003
【図２】
2007053429.tif 000004
【図３】
2007053429.tif 000005
【図４】
2007053429.tif 000006